(57)【要約】      （修正有）【課題】装飾体に設けたピン保持部にピンを進退可能に保持するとともに、所定の位置に無理なく保持することができ、しかもピンを確実に抜け止めすることができる装身具用止金具を提供する。【解決手段】該装身具用止金具は、装飾体１３と、装飾体に取り付けられ、貫通孔を備えたピン保持部１４と、該ピン保持部の貫通孔に進退可能に取り付けられたピン１２と、前記ピン保持部と一定の間隔をおいて装飾体に取り付けられたピン受け部１６とにより構成する。さらに、前記ピン保持部の貫通孔には、中を挿通するピンの進退を許容し、かつ所定位置でピンを保持する弾性皮膜１８を取り付け、前記ピンは、その先端よりに拡径部１９を形成することによって貫通孔からの脱落を防止できる様にする。【選択図】図１
0003152089.tif 000002
【実用新案登録請求の範囲】
【請求項１】
装飾体と、装飾体に取り付けられ、貫通孔を備えたピン保持部と、該ピン保持部の貫通孔に進退可能に取り付けられたピンと、前記ピン保持部と一定の間隔をおいて装飾体に取り付けられたピン受け部とを有し、
前記ピン保持部の貫通孔には、中を挿通するピンの進退を許容し、かつ所定位置でピンを保持する弾性皮膜が取り付けてあり、
前記ピンは、その先端よりに拡径部を形成することによって貫通孔からの脱落を防止してなることを特徴とする装身具用止金具。
【請求項２】
前記拡径部が、ピンを径方向につぶして形成されていることを特徴とする請求項１記載の装身具用止金具。
【請求項３】
前記弾性皮膜の素材が、シリコンゴムによって構成されていることを特徴とする請求項１記載の装身具用止金具。
【考案の詳細な説明】
【技術分野】
【０００１】
この考案は、ブローチやネクタイ止め、イヤリングやピアス等の装身具を身体や服飾に取り付けるために使用される装身具用止金具に関するものである。
【背景技術】
【０００２】
従来、ブローチやネクタイ止め、イヤリングやピアス等の装身具を身体や服飾に取り付ける止金具としては次のような例がある。
Ａ．安全ピンのようにピンを首振りさせるタイプ
Ｂ．ピンを進退させるタイプ
１）  特開２００１−３４０１１４号公報
バネ性をもつ差し込み針と湾曲したストッパーを有し、ピン先の露出を防ぐパイプとの組み合わせによるものであり、パイプ３に差し込み針を挿通するだけでブローチとしての機能をもつピン式ブローチ。
２）実開昭５９−１８２２０９号公報
差込む針頭づきの針と針受筒とからなり、針受筒内に該針径に応じる細孔を中心に設けた弾性ゴムを嵌封し、針頭等に装飾を施してなるピアスイヤリング用の装飾止具。
３）実開昭５３−７３１０６号公報
装身具本体の裏面の適所へ、受孔を有する針受部を、またこれと若干の間隔を置いて、貫通孔の孔壁の一方に切目を形成した鍵穴状孔を有する針貫挿部を、互に前記受孔と鍵穴状孔が向き合うよう取り付け、別に、つまみ部を有し中間に突条を有する計を設ける装身具の留金具。
【先行技術文献】
【特許文献】
【０００３】
【特許文献１】特開２００１−３４０１１４号公報
【特許文献２】実開昭５９−１８２２０９号公報
【特許文献３】実開昭５３−７３１０６号公報
【考案の概要】
【考案が解決しようとする課題】
【０００４】
前記Ａ．安全ピンのようにピンを首振りさせるタイプにおいては、ピンを閉じた位置において係止部に取り付ける操作に手間がかかりすぎ、止金具の操作が難しいという欠点があった。
【０００５】
また、前記Ｂ．ピンを進退させるタイプにおいても、装飾体に設けたピン保持部にピンを進退可能に保持するとともに、所定の位置に無理なく保持することができ、しかもピンを確実に抜け止めすることができる構造とはなっていない。
【課題を解決するための手段】
【０００６】
そこでこの考案の装身具用止金具は、装飾体と、装飾体に取り付けられ、貫通孔を備えたピン保持部と、該ピン保持部の貫通孔に進退可能に取り付けられたピンと、前記ピン保持部と一定の間隔をおいて装飾体に取り付けられたピン受け部とを有し、
前記ピン保持部の貫通孔には、中を挿通するピンの進退を許容し、かつ所定位置でピンを保持する弾性皮膜が取り付けてあり、
前記ピンは、その先端よりに拡径部を形成することによって貫通孔からの脱落を防止してなることを特徴とするものである。
【０００７】
この考案の装身具用止金具は、前記拡径部が、ピンを径方向につぶして形成されていることをも特徴とするものである。
【０００８】
この考案の装身具用止金具は、前記弾性皮膜の素材が、シリコンゴムによって構成されていることをも特徴とするものである。
【考案の効果】
【０００９】
この考案によれば、装飾体に設けたピン保持部にピンを進退可能に保持するとともに、所定の位置に無理なく保持することができ、しかもピンを確実に抜け止めすることができる装身具用止金具を提供することが可能となる。
【図面の簡単な説明】
【００１０】
【図１】この考案の装身具用止金具をブローチに適用した場合の断面図である。
【図２】図１においてピンを後退させた状態の断面図である。
【図３】ピン保持部の拡大断面図である。
【図４】この考案の装身具用止金具をピアスイヤリングに適用した場合の断面図である。
【図５】ピン保持部の拡大断面図である。
【考案を実施するための最良の形態】
【００１１】
以下、図面に基いてこの考案の装身具用止金具の実施の形態について説明する。
図１ないし図３はこの考案の装身具用止金具の第１形態を示すものであって、ブローチに適用した場合を示す。
１１は真珠、宝石、地金など丸玉からなる装飾性を備えたつまみであり、背面にはピン１２が突設されている。
１３はブローチを構成する種々のモチーフに形成された装飾体で、装飾体１３の背面には貫通孔１５を備えたピン保持部１４及び、このピン保持部１４と一定の間隔をおいて配置したピン受け部１６が取り付けられている。１７はピン受け部１６に設けたピン１２の先端を収納する凹孔である。
その上で、前記ピン保持部１４の貫通孔１５には、前記ピン１３が進退可能に取り付けられているのである。
【００１２】
そして、前記ピン保持部１４の貫通孔１５には、図３に示すように中を挿通するピン１２の進退を許容し、かつ所定位置でピン１２の移動を困難にしながら保持する弾性皮膜１８が取り付けてある。
このような弾性皮膜１８に用いられる素材としては、ウレタンゴムやシリコンゴム、その他の耐摩耗性に優れた弾性素材が好適に使用できる。また、弾性皮膜１８を前記ピン保持部１４の貫通孔１５の内側に設けた収納スペースへ取り付けるには、シート状にして接着剤で貼り付けても、コーティング様に塗布しても、また、貫通孔１５内に充填した弾性素材に孔を開けることによって形成してもよい。
【００１３】
ピン１２は、前記ピン保持部１４の貫通孔１５に挿通した上で、その先端よりに拡径部１９を形成することによって貫通孔１５からの脱落を防止するストッパーの役目を果たすようになっている。このような拡径部１９は、ピン１２を径方向につぶすことによって形成することができる。
拡径部１９の外径は、前記貫通孔１５からの脱落が防げる程度であればよく、したがって簡単に手工具で加工することができる。
【００１４】
この第１形態は以上のような構造であるので、これを使用するときには、図２のようにつまみ１１を引っ張って弾性皮膜１８によるグリップ力に抗してピン１２を後退させ、服飾の適所にピン１２を刺し通す。その際、前記拡径部１９はほんの少しだけ変形しているだけであり、服飾に刺し通す際にもほとんど抵抗がない。
次いで、つまみ１１を押して弾性皮膜１８によるグリップ力に抗してピン１２を前進させ、ピン１２の先端を前記ピン受け部１６に設けた凹孔１７に押し込むことによって服飾への装着が完了する。
もちろんその取外しに際しては、上記手順と逆にすればよい。
【００１５】
図４及び図５はこの考案の装身具用止金具の第２形態を示すものであって、ピアスイヤリングに適用した場合を示す。
３１は真珠、宝石、地金など丸玉からなる装飾性を備えたつまみであり、背面にはピン３２が突設されている。
３３はピアスイヤリングを構成するＵ字状本体（装飾体）で、Ｕ字状本体３３の端部には貫通孔３５を備えたピン保持部３４及び、このピン保持部３４と一定の間隔をおいて配置したピン受け部３６が形成されている。３７はピン受け部３６に設けたピン３２の先端を収納する凹孔である。
その上で、前記ピン保持部３４の貫通孔３５には、前記ピン３３が進退可能に取り付けられているのである。
【００１６】
そして、前記ピン保持部３４の貫通孔３５には、図５に示すように中を挿通するピン３２の進退を許容し、かつ所定位置でピン３２の移動を困難にしながら保持する弾性皮膜３８が取り付けてある。この弾性皮膜３８の素材や取り付け方法は、前記第１形態と同様であってよい。
【００１７】
ピン３２は、前記ピン保持部３４の貫通孔３５に挿通した上で、その先端よりに拡径部３９を形成することによって貫通孔３５からの脱落を防止するストッパーの役目を果たすようになっている。このような拡径部３９は、ピン３２を径方向につぶすことによって形成することができる。
【００１８】
この第２形態は以上のような構造であるので、これを使用するときには、図４のようにつまみ３１を引っ張って弾性皮膜３８によるグリップ力に抗してピン３２を後退させ、ピン保持部３４とピン受け部３６との間に耳たぶをはめ込んだ上、耳たぶに設けた穴にピン３２を刺し通す。その際、前記拡径部３９はほんの少しだけ変形しているだけであり、耳たぶに刺し通す際にもほとんど抵抗や痛みを与えることがない。
次いで、つまみ３１を押して弾性皮膜３８によるグリップ力に抗してピン３２を前進させ、ピン３２の先端を前記ピン受け部３６に設けた凹孔３７に押し込むことによって耳たぶへの装着が完了する。
もちろんその取外しに際しては、上記手順と逆にすればよい。
【産業上の利用可能性】
【００１９】
上述したところにおいては、この考案の装身具用止金具はブローチやピアスイヤリングへ適用できることを説明してきたが、ネクタイ止めやネクタイピン、スクリュー式のイヤリング等、適宜の装身具にも適用することができる。
その他この考案の技術思想を逸脱しない限り、種々の装身具にも応用することができることはいうまでもない。
【符号の説明】
【００２０】
１１  つまみ
１２  ピン
１３  装飾体
１４  ピン保持部
１５  貫通孔
１６  ピン受け部
１７  凹孔
１８  弾性皮膜
１９  拡径部
３１  つまみ
３２  ピン
３３  Ｕ字状本体（装飾体）
３４  ピン保持部
３５  貫通孔
３６  ピン受け部
３７  凹孔
３８  弾性皮膜
３９  拡径部
【図１】
0003152089.tif 000003
【図２】
0003152089.tif 000004
【図３】
0003152089.tif 000005
【図４】
0003152089.tif 000006
【図５】
0003152089.tif 000007